(57)【要約】      （修正有）【課題】使用者が息の吸い込みと吐き出しを快適に行うことが可能なマスクを提供する。【解決手段】マスク２が、カバーボディ２１と、少なくとも１つの第１ファンと、少なくとも１つの第２ファンと、エアーフィルタと、を有する。カバーボディ２１は、少なくとも１つの吸気口２１２ｃと、少なくとも１つの排気口２１２ｄと、を有する。少なくとも１つの吸気口２１２ｃおよび少なくとも１つの排気口２１２ｄは、カバーボディ２１を貫通する。少なくとも１つの第１ファンは、カバーボディ２１上に配置され、少なくとも１つの吸気口２１２ｃと一致する。少なくとも１つの第２ファンは、カバーボディ２１上に配置され、少なくとも１つの排気口２１２ｄと一致する。エアーフィルタは、カバーボディ２１上に配置され、部分的に少なくとも１つの吸気口２１２ｃと重なり合う。【選択図】図１
0003196218.tif 000002
【実用新案登録請求の範囲】
【請求項１】
少なくとも１つの吸気口および少なくとも１つの排気口を含み、前記少なくとも１つの吸気口および前記少なくとも１つの排気口によって貫通されるカバーボディと、
前記カバーボディ上に配置され、前記少なくとも１つの吸気口と一致する少なくとも１つの第１ファンと、
前記カバーボディ上に配置され、前記少なくとも１つの排気口と一致する少なくとも１つの第２ファンと、
前記カバーボディ上に配置され、前記少なくとも１つの吸気口と部分的に重なり合うエアーフィルタと、を有する、マスク。
【請求項２】
前記カバーボディが、カバーシールドおよびサイドフレームを有し、
前記カバーシールドが、シールドエッジ、凹面、および凸面を有し、
前記凹面および前記凸面が、前記カバーシールドの互いに反対側の２つの面の側に位置し、
前記サイドフレームが、前記凹面上に配置され、前記シールドエッジによって囲まれており、
前記少なくとも１つの吸気口が、前記サイドフレームに形成され、
前記少なくとも１つの排気口が、前記サイドフレームの２つの面および前記カバーシールドの２つの面を貫通して伸びている、請求項１に記載のマスク。
【請求項３】
前記サイドフレームが、アセンブリ部材および囲いフレーム部材を有し、
前記アセンブリ部材が、前記囲いフレーム上に配置され、
前記囲いフレーム部材が、前記凹面上に配置され、前記シールドエッジによって囲まれており、
前記囲いフレーム部材が、少なくとも１つの第１ファン用切欠き、および少なくとも１つの第２ファン用切欠きを有し、
前記少なくとも１つの吸気口が、前記少なくとも１つの第１ファン用切欠きに繋がっており、
前記少なくとも１つの排気口が、前記少なくとも１つの第２ファン用切欠きに繋がっており、
前記少なくとも１つの第１ファンが、前記少なくとも１つの第１ファン用切欠きに配置され、
前記少なくとも１つの第２ファンが、前記少なくとも１つの第２ファン用切欠きに配置される、請求項２に記載のマスク。
【請求項４】
前記アセンブリ部材が、第１添え板および第２添え板を有し、
前記アセンブリ部材が、前記第１添え板と前記第２添え板との間に形成される収容スペースを有し、
前記少なくとも１つの吸気口が、前記収容スペースおよび前記少なくとも１つの第１ファン用切欠きが連通するように、前記第１添え板および前記第２添え板を貫通し、
前記エアーフィルタが、前記収納スペースに配置され、
前記第２添え板が前記エアーフィルタと前記少なくとも１つの第１ファンとの間に配置される、請求項３に記載のマスク。
【請求項５】
前記アセンブリ部材がカバーボードをさらに有し、さらに開口部を有し、
前記開口部が前記第１添え板と前記第２添え板との間に位置し、
前記開口部が前記収納スペースと繋がっており、
前記カバーボードが前記開口部を塞ぐ、請求項４に記載のマスク。
【請求項６】
前記アセンブリ部材が、少なくとも１つのプロテクトケースおよび少なくとも１つの導流板を有し、
前記少なくとも１つのプロテクトケースが、前記少なくとも１つの第１ファン用切欠きを覆い、
前記少なくとも１つの吸気口が、前記少なくとも１つの第１ファン用切欠きと繋がるように、前記少なくとも１つのプロテクトケースを貫通し、
前記少なくとも１つの導流板が、前記少なくとも１つのプロテクトケースにおける前記少なくとも１つの吸気口の内側に配置される、請求項３に記載のマスク。
【請求項７】
第１光源をさらに有し、
前記サイドフレームが、前記凹面に沿って前記凹面の中心に向かって伸展している伸展部を有し、
前記第１光源が、前記伸展部の片側の前記凹面の近傍に配置される、請求項２に記載のマスク。
【請求項８】
第２光源をさらに有し、
前記サイドフレームが、前記凹面の近傍にフレーム内表面を有し、
前記第２光源が、前記フレーム内表面に配置される、請求項２に記載のマスク。
【請求項９】
前記少なくとも１つの吸気口が前記カバーボディ上端部に配置され、
前記少なくとも１つの排気口が前記カバーボディ底部に配置される、請求項１に記載のマスク。
【請求項１０】
環状弾性部材をさらに有し、
前記環状弾性部材が前記カバーボディ上に配置される、請求項１に記載のマスク。
【考案の詳細な説明】
【技術分野】
【０００１】
本考案は、マスク、より具体的にはファンおよびエアーフィルタを有するマスクに関する。
【背景技術】
【０００２】
大気汚染とは、微粒子、生体分子、またはその他有害物質が大気中へ入り込むことであって、人間の病気または死の原因となる可能性がある。人体に有害な微粒子に加えて、いくつかの特定の区域における大気には、花粉や塩類のようにアレルギーを引き起こす可能性がある微粒子もいくらか含まれる。
【０００３】
全ての異なる種類の大気汚染において、スモッグが最も防ぐことが困難な大気汚染である。率直に述べると、スモッグとは大気中に存在する塵である。人間がスモッグを吸い込むと、それによって心肺疾患が引き起こされる可能性がある。さらに、スモッグは、周囲環境の視認性を妨げ、それによって交通事故の発生確率が高まる。
【０００４】
大気中の微粒子から人間を守るための最も簡単な方法は、マスクを装着することである。しかしながら、一般的なマスクは、微粒子の吸入を効果的に防ぐことが困難である。したがって、多くの工場ではマスクにフィルタを取付けているが、フィルタは使用者の呼吸を妨げ、それによって使用者は不快に感じる。
【考案の概要】
【考案が解決しようとする課題】
【０００５】
本考案によって使用者の呼吸が改善されたマスクが提供され、それによって使用者が息の吸い込みおよび吐き出しを快適に行うことが可能となる。
【課題を解決するための手段】
【０００６】
本考案の実施形態では、マスクは、カバーボディと、少なくとも１つの第１ファンと、少なくとも１つの第２ファンと、エアーフィルタと、を有する。カバーボディは、少なくとも１つの吸気口と、少なくとも１つの排気口と、を有する。当該少なくとも１つの吸気口、および当該少なくとも１つの排気口は、カバーボディを貫通する。当該少なくとも１つの第１ファンは、カバーボディ上に配置され、当該少なくとも１つの吸気口と一致する。当該少なくとも１つの第２ファンは、カバーボディ上に配置され、当該少なくとも１つの排気口と一致する。エアーフィルタは、カバーボディ上に配置され、当該少なくとも１つの吸気口と部分的に重なり合う。
【考案の効果】
【０００７】
本考案の実施形態では、第１ファンは、空気流れが大気から吸気口およびエアーフィルタを順に通り抜けてマスク内に流れるように、空気流れを押し流す。エアーフィルタは、空気流れ中の微粒子およびその他有害物質を除去する。マスク内に存在する空気を吸い込んだ後、使用者は呼吸ガスを吐き出す。第２ファンは、呼吸ガスが排気口を通ってマスク外に流れるように、呼吸ガスを押し流す。したがって、使用者は清浄な空気とともに、快適な呼吸を行うことが可能となる。
【図面の簡単な説明】
【０００８】
本考案は、下記に示す添付の図面に沿った詳細な説明によって、より深く理解されるだろう。図面は実例であって、したがって、本考案を制限するものではない。
【図１】本考案の実施形態に係るマスクの正面の斜視図である。
【図２】図１に示す実施形態に係るマスクの背面の斜視図である。
【図３】図１に示す実施形態に係るマスクの分解立体図である。
【図４】図１に示す実施形態に係るマスクの背面図である。
【図５】図４の５−５線におけるマスクの断面図である。
【図６】図４の６−６線におけるマスクの断面図である。
【図７】使用者が装着した、図１に示す実施形態に係るマスクの斜視図である。
【考案を実施するための形態】
【０００９】
下記に示す詳細な説明では、開示する実施形態を十分に理解させるために、説明を目的として多数の具体的詳細が説明されている。しかしながら、１つまたはそれ以上の実施形態は、このような具体的詳細を用いずに実施されてもよいことが明らかになるだろう。また、図を簡略化するために、既知の構造および装置は概略的に示されている。
【００１０】
図１は、実施形態に係るマスクの正面の斜視図である。図２は、実施形態に係るマスクの背面の斜視図である。図３は、実施形態に係るマスクの分解立体図である。この実施形態では、マスク２は、カバーボディ２１と、２つの第１ファン２２と、１つの第２ファン２３と、エアーフィルタ２４と、を有する。
【００１１】
カバーボディ２１は、カバーシールド２１１と、サイドフレーム２１２と、を有する。カバーシールド２１１は、多数の排気口２１１ａと、シールドエッジ２１１ｂと、凹面２１１ｃと、凸面２１１ｄと、を有する。サイドフレーム２１２は、アセンブリ部材２１２ａと、囲いフレーム部材２１２ｂと、多数の吸気口２１２ｃおよび多数の排気口２１２ｄと、を有する。凹面２１１ｃおよび凸面２１１ｄは、カバーシールド２１１の互いに反対側の２つの面に位置する。凹面２１１ｃおよびシールドエッジ２１１ｂは、共にカバースペース２１１ｅを形成する。アセンブリ部材２１２ａは、囲いフレーム部材２１２ｂ上に配置される。囲いフレーム部材２１２ｂは、凹面２１１ｃ上に位置し、囲いフレーム部材２１２ｂは、シールドエッジ２１１ｂに囲まれている。カバーシールド２１１における排気口２１１ａは、カバーシールド２１１内に形成され、カバーシールド２１１の２つの面を貫通して伸びている。サイドフレーム２１２における吸気口２１２ｃは、アセンブリ部材２１２ａに形成される。サイドフレーム２１２における排気口２１２ｄは、囲いフレーム部材２１２ｂに形成され、囲いフレーム部材２１２ｂの２つの面を貫通して伸びている。カバーシールド２１１は、ガラスおよび透明プラスチックのような光透過性材料から部分的に成る。
【００１２】
この実施形態では、吸気口２１２ｃはカバーボディ２１の上端部に位置し、排気口２１１ａおよび排気口２１２ｄはカバーボディ２１の底部に位置する。ここでは、カバーボディ２１の上端部および底部は互いに対向しているが、本考案はそれに限定されない。他の実施形態には、吸気口２１２ｃ、排気口２１１ａ、および排気口２１２ｄが、カバーボディ２１の別の場所に位置するものもある。この実施形態では、吸気口２１２ｃの数、排気口２１１ａの数、および排気口２１２ｄの数は、いずれも１より多いが、本考案はそれに限定されない。他の実施形態には、吸気口２１２ｃの数、排気口２１１ａの数、排気口２１２ｄの数は、いずれも１つであるものもある。
【００１３】
下記では、さらにサイドフレームの詳細に関して説明する。図３、図４、図５、および図６を参照されたい。図４は、図１の実施形態に係るマスクの背面図である。図５は、図４に示す５−５線におけるマスクの断面図である。図６は、図４に示す６−６線におけるマスクの断面図である。
【００１４】
アセンブリ部材２１２ａは、第１添え板２１２１と、第２添え板２１２２と、２つのプロテクトケース２１２３と、カバーボード２１２４と、多数の導流板２１２５と、を有する。アセンブリ部材２１２ａは、開口部２１２６と、収容スペース２１２７と、を有する。囲いフレーム部材２１２ｂは、２つの第１ファン用切欠き２１２８と、１つの第２ファン用切欠き２１２９と、を有する。第１添え板２１２１、第２添え板２１２２、および２つのプロテクトケース２１２３は、組み合わされる。第２添え板２１２２は、第１添え板２１２１と２つのプロテクトケース２１２３との間に配置される。収納スペース２１２７は、第１添え板２１２１と第２添え板２１２２との間に形成される。開口部２１２６は、第１添え板２１２１と第２添え板２３２２との間に形成され、収納スペース２１２７と繋がっている。カバーボード２１２４は、開口部２１２６に配置され、開口部２１２６を塞ぐ。２つのプロテクトケース２１２３は、２つの第１ファン用切欠き２１２８をそれぞれ覆うため、２つの第１ファン用切欠き２１２８は、両方とも第２添え板２１２２と２つのプロテクトケース２１２３との間に位置する。吸気口２１２ｃは、収容スペース２１２７および２つの第１ファン用切欠き２１２８が連通するように、第１添え板２１２１、第２添え板２１２２、および２つのプロテクトケース２１２３に形成される。排気口２１１ａは、第２ファン用切欠き２１２９および外気が連通するように、カバーシールド２１１に形成される。排気口２１２ｄは、第２ファン用切欠き２１２９およびカバースペース２１１ｅが連通するように、囲いフレーム部材２１２ｂに形成される。導流板２１２５は、２つのプロテクトケース２１２３に形成されている吸気口２１２ｃの内側に配置される。
【００１５】
２つの第１ファン２２は、２つの第１ファン用切欠き２１２８にそれぞれ配置される。２つの第１ファン２２は、２つのプロテクトケース２１２３に形成されている吸気口２１２ｃと部分的に重なり合う。この実施形態では、第１ファン２２の数、第１ファン用切欠き２１２８の数、およびプロテクトケース２１２３の数は、いずれも２つであるが、本考案はそれに限定されない。他の実施形態には、第１ファン２２の数、第１ファン用切欠き２１２８の数、プロテクトケース２１２３の数が１つのものもある。
【００１６】
第２ファン２３は、第２ファン用切欠き２１２９に配置され、排気口２１１ａおよび排気口２１２ｄと部分的に重なり合う。この実施形態では、第２ファン２３の数、および第２ファン用切欠き２１２９の数は、いずれも１つであるが、本考案はそれに限定されない。他の実施形態には、第２ファン２３の数および第２ファン用切欠き２１２９の数が１つ以上のものもある。
【００１７】
エアーフィルタ２４は、例えば、高性能エアーフィルタ（Ｈｉｇｈ−Ｅｆｆｉｃｉｅｎｃｙ  Ｐａｒｔｉｃｕｌａｔｅ  Ａｉｒ  ｆｉｌｔｅｒ、  ＨＥＰＡフィルタ）、または活性炭フィルタリーフなどである。エアーフィルタ２４は、収容スペース２１２７内に配置され、第１添え板２１２１および第２添え板２１２２に形成されている吸気口２１２ｃと部分的に重なり合う。この実施形態では、エアーフィルタ２４は、フィルタコア２４１と、ラック２４２と、を有し、ラック２４２はフィルタコア２４１を固定するが、本考案はそれに限定されない。他の実施形態には、エアーフィルタ２４がラック２４２を有さないものもある。
【００１８】
再度、図１および図２を参照されたい。マスク２は、第１光源２５と、第２光源２６と、をさらに有する。囲いフレーム部材２１２ｂは、凹面２１１ｃに沿ってシールドエッジ２１１ｂから凹面２１１ｃの中心に向かって伸展している伸展部２１２ｅと、凹面２１１ｃに面するフレーム内表面２１２ｆと、をさらに有する。第１光源２５および第２光源２６は両方とも、例えば、発光ダイオード（ＬＥＤ）またはランプなどである。第１光源２５は、伸展部２１２ｅの片側に、凹面２１１ｃに面して配置される。つまり、第１光源２５は、凹面２１１ｃからカバーシールド２１１を透過して凸面２１１ｄに向かって、光を照射することが可能となる。第２光源２６は、フレーム内表面２１２ｆ上に配置される。
【００１９】
マスク２は、サイドフレーム２１２の囲いフレーム部材２１２ｂ上に配置される環状弾性部材２７をさらに有する。環状弾性部材２７は、例えば、シリカゲル製のリングなどである。したがって、マスク２装着中の使用者の快適性を保つことに役立つ。また、マスク２を十分に付着させる点でも役立つ。
【００２０】
この実施形態では、マスク２は帯２８を有する。カバーシールド２１１は、凸面２１１ｄから外側に向かって伸びている２つの装着部２１１ｆを有する。２つの装着部２１１ｆは、それぞれ装着穴２１１１を有する。帯２８の異なる２つの終端は、２つの装着部２１１ｆにそれぞれ固定するために、それぞれ装着穴２１１１に取付けられる。この実施形態では、帯２８は弾性ベルトであるが、本考案はそれに限定されない。他の実施形態には、帯２８が、カバーボディ２１の反対側にそれぞれ取付けられる２つリング状バンドを有するものもある。
【００２１】
下記では、使用者がマスクを装着した後にマスクを使用するための方法および操作について説明されている。図５、図６、および図７を参照されたい。図７は、使用者によって装着されている、図１の実施形態に係るマスク２の斜視図である。この実施形態では、使用者が帯２８を用いて自分の顔にマスク２を装着した場合、使用者の顔は、カバーシールド２１１におけるカバースペース２１１ｅの内側にある。吸気口２１２ｃおよび第１ファン２２は、マスク２の上端部に位置し、使用者の額と一致する。排気口２１１ａ、排気口２１２ｄ、および第２ファン２３は、マスク２の底に位置し、使用者の顎と一致する。
【００２２】
マスク２を顔に装着した後、使用者は、第１ファン２２および第２ファン２３を起動させる電源（図には示していない）を作動させるために入れる。第１ファン２２は空気流れの速度を増加させるため、空気流れを外気から吸気口２１２ｃを通り抜けてカバースペース２１１ｅ内へと速やかに流すことが可能である。空気流れが吸気口２１２ｃを通り抜けた時、エアーフィルタ２４は、空気流れ中の微粒子および有害物質を除去する。カバースペース２１１ｅ内に存在する空気を吸い込んだ後、使用者は二酸化炭素のような呼吸ガスを吐き出す。呼吸ガスを、カバースペース２１１ｅから、排気口２１１ａおよび排気口２１２ｄを通り抜けて、外気へと速やかに流すことが可能である。したがって、使用者は清浄な空気とともに快適に呼吸をすることが可能となる。
【００２３】
さらに、カバーシールド２１１の凹面２１１ｃは、使用者に面する。したがって、凹面２１１ｃは、カバースペース２１１ｅ内における空気流れの局所的な抵抗を低減させ、大半の空気流れは層流になり（つまり、カバースペース２１１ｅ内に乱流はほとんどない）、カバースペース２１１ｅ内における空気流れの速度をさらに増加させるのに役立つ。
【００２４】
さらに、吸気口２１２ｃおよび第１ファン２２は、使用者の額と一致するようにマスク２の上端部に位置する。排気口２１１ａ、排気口２１２ｄ、および第２ファン２３は、使用者の顎と一致するようにマスク２の底部に位置する。したがって、カバースペース２１１ｅ内に存在する空気は、カバーボディ２１の上端部（額）からカバーボディ２１の底部（顎）へ流れるため、呼吸ガスは、吸気口２１２ｃを通り抜ける代わりに排気口２１１ａおよび排気口２１２ｄを速やかに通り抜け、マスク２の曇りを防止することに役立つ。
【００２５】
さらに、第１ファン２２および第２ファン２３は、カバースペース２１１ｅ内が外気に対して正圧になるようする。したがって、使用者の顔およびマスク２の隙間から、汚染空気流れがカバースペース２１１ｅ内に入り込むのを防ぐことに役立つ。使用者は、カバースペース２１１ｅに流れ込む空気流れの方向を制御するために、導流板２１２５の角度を調整することができる。
【００２６】
スモッグがかかっている領域では、使用者は、第１光源２５および第２光源２６を起動する電源（図には示していない）を入れてもよい。第１光源２５はマスク２の外側を照らし、カバーシールド２１１は光透過性材料から成る。したがって、使用者が長い距離を見ることが可能となるように、視認距離を長くすることに役立つ。第２光源２６はカバースペース２１１ｅを照らし、カバーシールド２１１は光透過性材料から成る。したがって、他者はスモッグ中の使用者を視認することが可能となる。
【００２７】
本考案では、マスクの第１ファンは、空気流れが外気から吸気口およびエアーフィルタを通り抜けてマスク内へ速やかに流れるようにする。エアーフィルタは、空気流れ中の微粒子および有害物質を除去する。マスク内に存在する空気を吸い込んだ後、使用者は呼吸ガスを吐き出す。マスクの第２ファンは、呼吸ガスがマスクから排気口を通り抜けて外気へ速やかに流れるようにする。したがって、使用者は微粒子のない清浄な空気とともに快適に呼吸を行うことが可能となる。
【００２８】
さらに、吸気口および第１ファンはマスクの上端部に配置され、排気口および第２ファンはマスクの底部に配置される。したがって、マスク内に存在する空気はマスク上端からマスク底部へ流れるため、呼吸ガスは吸気口を通り抜ける代わりに、排気口を速やかに通り抜けることが可能となり、マスクが曇るのを防止することに役立つ。
【００２９】
さらに、マスクの第１光源はマスクの外部を照らすため、使用者がより長い距離を見ることが可能となるように、視認距離を長くすることに役立つ。マスクの第２光源はマスクの内側を照らすため、他者はスモッグ中の使用者を視認することが可能となる。
【００３０】
さらに、マスクの環状弾性部材は、マスク装着中の使用者の快適性を維持することに役立つ。また、マスクを十分に付着させることにも役立つ。
【符号の説明】
【００３１】
２      マスク、
２１    カバーボディ、
２２    第１ファン、
２３    第２ファン、
２４    エアーフィルタ、
２５    第１光源、
２６    第２光源、
２７    環状弾性部材、
２８    帯、
２１１  カバーシールド、
２１１ａ  カバーシールドの排気口、
２１１ｂ  シールドエッジ、
２１１ｃ  凹面、
２１１ｄ  凸面、
２１１ｅ  カバースペース、
２１１ｆ  装着部、
２１２  サイドフレーム、
２１２ａ  アセンブリ部材、
２１２ｂ  囲いフレーム部材、
２１２ｃ  吸気口、
２１２ｄ  サイドフレームの排気口、
２１２ｅ  伸展部、
２１２ｆ  フレーム内表面、
２４１  フィルタコア、
２４２  ラック、
２１１１  装着穴、
２１２１  第１添え板、
２１２２  第２添え板、
２１２３  プロテクトケース、
２１２４  カバーボード、
２１２５  導流板、
２１２６  開口部、
２１２７  収容スペース、
２１２８  第１ファン用切欠き、
２１２９  第２ファン用切欠き。
【図１】
0003196218.tif 000003
【図２】
0003196218.tif 000004
【図３】
0003196218.tif 000005
【図４】
0003196218.tif 000006
【図５】
0003196218.tif 000007
【図６】
0003196218.tif 000008
【図７】
0003196218.tif 000009